(57)【特許請求の範囲】
【請求項１】
薄型縦長の筐体に下端部が回動自在に支持され垂直状態と水平状態との間を９０°回動するドア部材に、水平状態においてターンテーブルのディスク接触面が上側となるように記録再生ユニットを配置し、前記ドア部材が筐体を開く水平状態において、前記ターンテーブルにディスクを着脱可能とし、前記ドア部材が筐体を閉じる垂直状態においてディスク録音再生可能とし、前記ドア部材の筐体を閉じた状態での外面に表示部および操作釦を配置した薄型ディスク録音再生装置。
【請求項２】
前記ドア部材にディスク記録面を覗く窓を設けた請求項１の薄型ディスク録音再生装置。
【発明の詳細な説明】
【０００１】
【発明の属する技術分野】
この発明はディスク録音再生装置に係わり、特に、壁際に設置するのに適した薄型ディスク録音再生装置に関する。
【０００２】
【従来の技術】
従来からインテリアやライフスタイルに合わせたオーディオの提案が行われており、その中にＣＤやアンプ、チューナー等の本体部分およびスピーカー部分を薄く設計して壁際に設置したり、実際に壁に掛けて使用できるタイプのいわゆる薄型オーディオがあった。
【０００３】
現在の薄型オーディオのソースはＣＤ（またはＤＶＤ）が主流であり、これにチューナーとコンパクトカセットまたはＭＤ等とアンプにスピーカーが組み合わされている。ＣＤまたはＤＶＤは直径１２０ｍｍのメディアであるため薄型にするためにはディスクを縦に配置する必要がある。
【０００４】
そのような薄型のディスク再生装置の従来例を図３に示す。この例では筐体１に観音開きにガラスのドア６、６が開閉自在に設けられ、その中にディスク５をボールクランプのターンテーブル３で保持する再生ユニットが縦に配置されている。
【０００５】
他の従来例を図４に示す。この例では、筐体１の前面を開閉する透明なドア７が上支点で回動し、その中に縦に設置されている再生ユニット台８が図４（ａ）に示すようにスライドしてせり出し、図４（ｂ）に示すようにボールクランプのターンテーブル３が水平状態となる。この状態でディスク５が装着される。ディスク５を装着した後、再生ユニット台８は垂直状態に戻されてディスクが再生される。
【０００６】
【発明が解決しようとする課題】
図３に示す従来のディスク再生装置は図に示すようにディスク５を縦にセットしようとすると操作がしにくく、失敗するとディスク５が落ちてしまう恐れがあった。また、前面のガラスドア６、６を品位良く駆動するための装置の製造コストが高くなるという問題があった。
【０００７】
図４に示す従来のディスク再生装置はディスクを水平に脱着出来るためディスクを落とす恐れはないが、ドア７を回避させ、かつ再生ユニットを水平に移動させるための機構が複雑になり製造コストが高くなるという問題があった。また、ドア７が再生ユニットの上に被さっているとディスクをセットしにくいという欠点もあった。
【０００８】
また、どちらの例でもディスクは外から見えるようにドアが透明になっており、トラックＮＯ．や時間表示をする表示部や操作釦を配置するスペースが確保しにくいという問題もあった。
【０００９】
この発明は上記した点に鑑みてなされたものであって、その目的とするところは、製造コストが安く、かつ、ディスクを安全にセットすることができる薄型ディスク録音再生装置を提供することにある。
【００１０】
この発明の他の目的は、表示部や操作釦を配置するスペースを十分に確保できる薄型ディスク録音再生装置を提供することである。
【００１１】
【課題を解決するための手段】
この発明の薄型縦長の薄型ディスク録音再生装置は、筐体に下端部が回動自在に支持され垂直状態と水平状態との間を９０°回動するドア部材に、水平状態においてターンテーブルのディスク接触面が上側となるように記録再生ユニットを配置し、前記ドア部材が筐体を開く水平状態において、前記ターンテーブルにディスクを着脱可能とし、前記ドア部材が筐体を閉じる垂直状態においてディスク録音再生可能とし、前記ドア部材の筐体を閉じた状態での外面に表示部および操作釦を配置したものである。
【００１２】
また、前記薄型ディスク録音再生装置において、前記ドア部材にディスク記録面を覗く窓を設けたものである。
【００１４】
【発明の実施の形態】
この発明の実施例である薄型ディスク再生装置を図面に基づいて説明する。図１はこの発明の実施例である薄型ディスク録音再生装置を示す斜視図である。また、図２（ａ）は同薄型ディスク録音再生装置を示す側面図、図２（ｂ）は同薄型ディスク録音再生装置を示す正面図である。
【００１５】
図に示す筐体１にはドア部材２が下側を回転中心にして上側が円弧運動して９０゜開くように回動自在に支持されている。そして、駆動機構４により矢印で示すように回動される。
【００１６】
ＣＤまたはＤＶＤのディスク５を装着する時には図１に示すようにドア部材２が水平状態とされる。ドア部材２には従来例で示した通りのボールクランプのターンテーブル３や光ピックアップを有する再生ユニットが組み込まれており、水平状態でターンテーブル３はドア部材２の上側となるように配置される。この状態でディスク５をセットする。この時上側にドアのような障害物は存在しないので容易にディスクをセットできる。
【００１７】
演奏は図２の実線で示すようにドア部材２を元に戻して行う。ドア部材２には窓２ａが設けられているが、演奏時のパネル面の窓２ａから見えるのはディスク５の信号面側である。
【００１８】
また、ドア部材２には再生ユニットの裏側すなわち、ドア部材２が閉じられた状態でのパネル面側に時間等の表示部２ｂと操作釦２ｃが配置されている。このように表示部２ｂと操作釦２ｃが再生ユニットを保持するドア部材２に設けられているのでそれらをドア部材２の中に１枚のプリント基板を配置することで、まとめてプリント基板に直接取付けることが可能となり、部品コストや組み立て工数が削減される。
【００１９】
実施例は以上のように構成されているが発明はこれに限らず、例えば、ドア部材の開閉を手動により行う構成とすることもできる。その場合製造コストがさらに削減される。
【００２０】
【発明の効果】
この発明の薄型ディスク録音再生装置によれば、ドア部材の中に再生ユニットを組み込み、回転支点により回転運動をさせることにより信頼性が高く、品位の高い薄型オーディオを安価に提供できる。
【００２１】
また、ディスク装着はディスクを水平として行えるため安定度が高く、操作性がよい。
【００２２】
さらに、ドア部材のパネル側を利用して表示部や操作釦を配置できるためスぺ−スが有効利用できる。
【図面の簡単な説明】
【図１】この発明の実施例である薄型ディスク録音再生装置を示す斜視図である。
【図２】図２（ａ）は同薄型ディスク録音再生装置を示す側面図、図２（ｂ）は同薄型ディスク録音再生装置を示す正面図である。
【図３】従来の薄型ディスク録音再生装置の例を示す斜視図である。
【図４】図４（ａ）は従来の薄型ディスク録音再生装置の他の例を示す側面図、図４（ｂ）は同薄型ディスク録音再生装置を示す斜視図である。
【符号の説明】
１  筐体
２  ドア部材、２ａ  窓、２ｂ  表示部、２ｃ  操作釦
３  ターンテーブル
４  駆動機構
５  ディスク
６  ドア
７  ドア
８  再生ユニット台
【図１】
0003607090.tif 000002
【図２】
0003607090.tif 000003
【図３】
0003607090.tif 000004
【図４】
0003607090.tif 000005